(57)【要約】【課題】  監視装置におけるケーブルの管理のための装置及び方法を提供する。【解決手段】  監視装置（１０）は、ハウジング（１２）と、ハウジングに対して移動自在の検出装置（１６）と、一方端がハウジングに対して固定され、他方端が検出装置に固定されるケーブル（１８）とを備える。ハウジングは、その中に配置されるチャネル（２６）を含み、また該ケーブルを一時的に収納するためにケーブルの一部分がチャネル内に配置される。１つの実施形態では、表示画面（１４）が、ハウジング内に配置され、チャネルは、表示画面の周囲の少なくとも一部分の周りに配置される。ケーブルは、コイル状にすることができる。【選択図】      図１
2004181248.tif 000002
【特許請求の範囲】
【請求項１】
ハウジング（１２）と、
前記ハウジング（１２）内に配置されたチャネル（２６）と、
前記ハウジング（１２）に対して移動自在な検出装置（１６）と、
一方端が前記ハウジング（１２）に対して固定され、他方端が前記検出装置（１６）に固定されたケーブル（１８）と、
を備え、
前記ケーブル（１８）の一部分が、前記ケーブル（１８）を一時的に収納するために前記チャネル（２６）内に取り外し可能に配置されることを特徴とする監視装置（１０）。
【請求項２】
前記ハウジング（１２）内に配置された表示画面（１４）を更に含み、前記チャネル（２６）が、前記表示画面（１４）の周囲の少なくとも一部分の周りに配置されていることを特徴とする請求項１に記載の監視装置（１０）。
【請求項３】
前記チャネル（２６）が、前記表示画面（１４）の周囲の三つの側面の周りに配置されることを特徴とする請求項２に記載の監視装置（１０）。
【請求項４】
前記ケーブル（１８）が、弛緩時の外径と伸長時の外径とを有し、前記弛緩時の外径が前記チャネル（２６）の幅より大きく、前記伸長時の外径が前記チャネル（２６）の前記幅よりも小さいことを特徴とする、請求項１に記載の監視装置（１０）。
【請求項５】
前記ケーブル（１８）は、コイル状に巻かれることを特徴とする請求項３に記載の監視装置（１０）。
【請求項６】
前記ケーブル（１８）が、圧入方式で前記チャネル（２６）内に受けられることを特徴とする請求項１に記載の監視装置（１０）。
【請求項７】
前記ケーブル（１８）内には、外側表面（５４）を形成する弾性材料（５２）を含み、該弾性材料（５２）が、前記チャネル（２６）の側面によって圧縮されて前記ケーブル（１８）を前記チャネル（２６）の内部に固定することを特徴とする請求項６に記載の監視装置（１０）。
【請求項８】
前記チャネル（２６）の側面に形成された戻り止めを更に含み、該戻り止めは、前記ケーブル（１８）を前記チャネル（２６）内に取り外し可能に保持することを特徴とする請求項６に記載の監視装置（１０）。
【請求項９】
ハウジング（１２）と、
前記ハウジング（１２）に固定され、前記ハウジング（１２）から延びる部分を有するケーブル（１８）と、
前記ハウジング（１２）から延びる部分を該ハウジング（１２）に解放可能に固定する手段と、
を備える監視装置（１０）。
【請求項１０】
解放可能に固定するための前記手段が、  前記ハウジング（１２）内に配置されたチャネル（２６）を含み、該チャネル（２６）が前記ハウジング（１２）から延びる部分を受けることを特徴とする請求項９に記載の監視装置（１０）。
【発明の詳細な説明】
【技術分野】
【０００１】
本発明は監視装置に関する。より具体的には、本発明は監視装置におけるケーブルの管理のための装置及び方法に関する。
【背景技術】
【０００２】
一般に、監視装置は、監視される状態をグラフィック描写で表示する陰極線管、液晶ディスプレー等のような表示画面を含む。また、監視装置は、ケーブルにより監視装置に接続される検出装置も含む。検出装置は、身体、構造等に対して位置付けられ、監視される状態を検出する。
【０００３】
１つのタイプの監視装置は、医療用の患者監視装置である。患者監視装置は、例えば、血圧監視装置、心電図監視装置、超音波監視装置等を含む。患者監視装置においては、検出装置は、超音波プローブ、血圧計バンド、電気的センサ、温度センサ、音響センサ等を含むことができる。
【発明の開示】
【発明が解決しようとする課題】
【０００４】
監視装置では、検出装置の格納と引き出しを繰り返し行うことにより、ケーブルをもつれさせ、監視装置の読み取り及び故障検査を困難で時間が掛かるものにする可能性がある。ケーブルがもつれると、ケーブルは、もつれを解くのを容易にするためにプラグを外す必要があり、結果として監視の一時的な損失を生じることになる。更に、監視装置を運搬したり又は保管する場合には、ケーブルは監視装置から垂れ下がる。このことは、ケーブルのもつれをもたらす可能性があり、運搬や保管を困難にする可能性もある。
【課題を解決するための手段】
【０００５】
上述の欠点及び欠陥は、ハウジングと、該ハウジングに対して移動自在の検出装置と、一方端がハウジングに対して固定され、他方端が検出装置に固定されたケーブルとを備える監視装置により解決され又は軽減される。ハウジングは、その中に配置されるチャネルを含み、またケーブルを一時的に収納するためにケーブルの一部分が、チャネル内に取り外し可能に配置される。１つの実施形態では、表示画面がハウジング内に配置され、チャネルは該表示画面の周囲の少なくとも一部分の周りに配置される。
【０００６】
別の態様において、ケーブルを監視装置内に収納する方法は、ケーブルの外径を監視装置内に形成されるチャネルの外径より小さくなるまで縮小するためにケーブルを伸長する段階と、ケーブルをチャネル中に配置する段階と、伸長したケーブルを解放しケーブルをチャネル内で固定する段階とを含む。
【発明を実施するための最良の形態】
【０００７】
本発明の上述並びに他の特徴及び利点は、以下の詳細な説明及び図面から当業者には評価され理解されるであろう。
【０００８】
同じ要素が幾つかの図で同じ符号が付けられた例示的な図面を参照する。
【０００９】
図1及び図２を参照すると、監視装置１０の斜視図が示されている。監視装置１０には、例えば、血圧監視装置、心電図監視装置、超音波監視装置等のような患者監視装置を含むことができる。監視装置１０は、監視される状態をグラフィック描写で表示する陰極線管、液晶ディスプレー等のような表示画面１４を取り付けるためのハウジング１２を含む。検出装置１６は、ケーブル１８により監視装置１０に接続される。ハウジング１２の外部のケーブル１８の一部分は、ハウジング１２に対して移動自在であり、検出装置１６の操作を可能にする。医師又は技術者のような人間のオペレータが、対象物体に対して検出装置１６を操作して監視される状態を検出する。このような検出装置１６は、例えば、超音波プローブ、血圧計バンド、電気的センサ、温度センサ、及び音響センサを含むことができる。ケーブル１８の一端は、監視装置１０のハウジング１２に固定される。図示される実施例では、ケーブル１８は、表示画面１４と同じハウジング１２に固定される。しかしながら、ケーブル１８は、表示画面１４を含むハウジング１２から分離した監視装置１０上の位置に固定することができることは理解されるであろう。
【００１０】
監視装置１０のハウジング１２は、上壁２０、該上壁２０に隣接する第1の側壁２２、及び該上壁２０に隣接する第2の側壁２４を含む。表示画面１４は、上壁２０と第1及び第2の側壁２２及び２４との間に延在する。チャネル２６が、表示画面１４の周囲の一部の周りでハウジング１２内に形成される。チャネル２６は、第１の側壁２２、上壁２０、及び第２の側壁２４に沿って延びる。図示された実施形態では、チャネル２６は、側壁２２及び２４と上壁２０との間に隣接する。しかしながら、チャネル２６は、ハウジング１２の、第１の側壁２２又は第２の側壁２４、上壁２０、又は後部壁面２７のいずれかの１つ又はそれ以上内に形成され、図示されるものとは異なるこれらの壁面のいずれかの１つ又はそれ以上にわたる経路で延びることができる。
【００１１】
図３を参照すると、ケーブル１８及びチャネル２６の断面図が示される。図１から図３までの実施形態では、ケーブル１８は、コイル状に巻かれてばねを形成する。ケーブル１８の弛緩状態、すなわちケーブル１８を伸長するような外部力が加わっていないときには、ケーブル１８は、第１の全長、すなわち監視装置１０への取り付け位置から検出装置１６への取り付け位置までの螺旋軸５０に沿って測定した長さと、ｄで示される外径とを有する。図３に示すように、ケーブル１８の弛緩時には、直径ｄはチャネル２６の幅ｗよりも大きくなる。ケーブル１８の全長が第１の全長より大きく伸長されると、外径ｄはチャネル２６の幅ｗより小さく縮小することができ、従って、ケーブル１８をチャネル２６内に配置することが可能になる。ケーブル１８がチャネル２６に挿入され、ケーブル１８に加わる外部の伸長力が解放されると、ケーブル１８の外径ｄは、チャネル２６の側面に接触するように広がり、これによりケーブル１８がチャネル２６内に固定される。従って、監視装置１０のユーザーは、ケーブル１８を伸長して外径ｄをチャネル２６の幅ｗよりも小さくし、ケーブル１８をチャネル２６の中に配置し、伸長したケーブル１８を解放してケーブル１８をチャネル２６内に固定することによりケーブル１８を収納することができる。
【００１２】
図４は、チャネル１８及びケーブル２６の別の実施形態であり、ハウジング１２から延びるケーブル１８の部分が、圧入方式でチャネル２６内に受けられる。図４を参照すると、ケーブル１８は、螺旋状ではなく直線状であり、外側表面５４を形成する弾性材料５２を含む。ケーブル１８の外径ｄは、チャネル２６の幅ｗに対して該チャネル２６の側面と圧入を形成するように寸法決めされる。すなわち、ケーブル１８がチャネル２６内に配置されると、外側表面５４は、弾性材料５２が圧縮されるようにチャネル２６の側面に接触する。この圧入の結果として、ケーブル１８は、チャネル２６の内部で固定される。
【００１３】
図５は、チャネル２６及びケーブル１８の別の実施形態であり、ハウジング１２から延びるケーブル１８の部分が、圧入方式でチャネル２６内に受けられる。図５を参照すると、ケーブル１８は、螺旋状ではなく直線状であり、チャネル２６は、該チャネルの１つ又はそれ以上の側面に形成される１つ又はそれ以上の戻り止め５６を含む。各戻り止め５６間の幅ｗは、ケーブル１８の直径ｄより小さい。図示される実施形態では、戻り止め５６は、弾性アーム５８上に取り付けられる。ケーブル１８をチャネル２６中に挿入することにより、弾性アーム５８が広がり、ケーブル１８が各戻り止め５６間を通過することが可能になる。ケーブル１８が完全に挿入されると、戻り止め５６がケーブル１８をチャネル２６内に固定する。或いは、弾性アーム５８無しで戻り止め５６をチャネル２６の側面に固定してもよく、また弾性カバーを図４の実施形態のようなケーブル１８の上に用いてもよい。この実施形態では、戻り止め５６は、ケーブル１８がチャネル２６の中に挿入されると、ケーブル１８の弾性カバー１８を撓ませ、またケーブル１８が完全に挿入されると、戻り止め５６がケーブル１８をチャネル２６の内部に固定する。
【００１４】
上述の実施形態のいずれにおいても、ケーブル１８は、該ケーブル１８をチャネル２６から引き離すことにより、チャネル２６から取り外すことができる。図２に示すように、ケーブル１８がチャネル２６から取り外された状態で、検出装置１６が、オペレータにより操作されて監視される状態を検出することができる。
【００１５】
本明細書で説明されるケーブル管理の装置及び方法を用いて、ケーブルがもつれることなく該ケーブルの格納と引き出しを繰り返し行うことができる。結果として、本装置及び方法は、監視装置の読み取り及び故障検査を容易にして時間がかからないようにし、もつれを解くのを容易にするためにケーブルのプラグを外す必要性を低減する。更に、本装置及び方法を用いることにより、ぶら下がったケーブルに関わる問題も無く監視装置の運搬及び保管を行うことができる。
【００１６】
本発明を好ましい実施形態に関して述べてきたが、当業者であれば、本発明の技術的範囲から逸脱すること無く種々の変更を行うことができ、均等物技術をその要素に代替することができることを理解するであろう。更に、本発明の本質的な範囲から逸脱することなく、特定の状況又は材料を本発明の教示に適合するように多くの変更を行うことができる。従って、本発明は、発明を実施するための最良の形態として開示された特定の実施形態に制限されるものでは無く、添付の特許請求の範囲の範囲内にある全ての実施形態を含むことが意図される。更に、第１、第２などの用語の使用は、どのような順序又は重要性を示すものではなく、むしろ第１、第２などの用語は、ある要素を別の要素と区別するために用いられるものである。
【図面の簡単な説明】
【００１７】
【図１】ケーブルを収納するために配置されたチャネルを含む監視装置の正面斜視図。
【図２】ケーブルをチャネルから取り外した状態の図１の監視装置の背面斜視図。
【図３】ケーブル及びケーブルを収納するためのチャネルの断面図。
【図４】ケーブル及びケーブルを収納するためのチャネルの別の実施形態の断面図。
【図５】ケーブル及びケーブルを収納するためのチャネルの別の実施形態の断面図。
【符号の説明】
【００１８】
１０  監視装置
１２  ハウジング
１４  表示画面
１６  検出装置
１８  ケーブル
２０  上壁
２２  （ハウジングの）第1の側壁
２４  （ハウジングの）第2の側壁
２６  チャネル
【図１】
2004181248.tif 000003
【図２】
2004181248.tif 000004
【図３】
2004181248.tif 000005
【図４】
2004181248.tif 000006
【図５】
2004181248.tif 000007